(57)【特許請求の範囲】
【請求項１】
複数の部屋を有するフロアのレイアウト画像から部分画像を抽出し、この部分画像に空気調和装置の動作状況データを付加してディスプレイに表示させる画像表示工程と、
前記レイアウト画像から前記部分画像を抽出する位置を部屋単位でシフトさせる抽出位置移動工程とを備えることを特徴とする空調管理情報表示方法。
【請求項２】
フロアの各部屋に配置された空気調和装置の動作状況データをディスプレイに表示させて、これらの空気調和装置を集中管理する空調管理装置において、
前記フロアのレイアウト画像が記憶された画像記憶手段と、
前記画像記憶手段に記憶された前記レイアウト画像から部分画像を抽出し、この部分画像に前記動作状況データを付加して前記ディスプレイに表示させる画像表示手段と、
前記レイアウト画像から前記部分画像を抽出する位置を部屋単位でシフトさせる抽出位置移動手段とを備えることを特徴とする空調管理装置。
【請求項３】
前記フロアを各部屋に分割する仕切り線データが記憶された仕切り線データ記憶手段を更に備え、
前記抽出位置移動手段では、前記仕切り線データ記憶手段から読み出した前記仕切り線データに基づいて、前記レイアウト画像から前記部分画像を抽出する位置をシフトさせることを特徴とする請求の範囲第２項記載の空調管理装置。
【請求項４】
前記部分画像は、所望の部屋の全体と、この部屋に隣接する各部屋の一部とを含んだ画像であることを特徴とする請求の範囲第２項記載の空調管理装置。
【請求項５】
前記抽出位置移動手段によって前記部分画像を抽出する位置をシフトさせる際のシフト方向を特定させるシフトスイッチを更に備え、
前記シフトスイッチは、シフトできない方向に対する入力を無効にすることを特徴とする請求の範囲第２項記載の空調管理装置。
【請求項６】
前記シフトスイッチは、タッチパネルに表示された各方向の矢印ボタンであり、シフトできる方向の矢印ボタンのみを表示させていることを特徴とする請求の範囲第５項記載の空調管理装置。
【請求項７】
前記画像記憶手段には、複数のフロアについての前記レイアウト画像が記憶されており、
前記画像表示手段では、これらのフロアの中から指定されたフロアについての前記部分画像を前記ディスプレイに表示させることを特徴とする請求の範囲第２項記載の空調管理装置。
【発明の詳細な説明】
技術分野
本発明は、複数の空気調和装置の管理情報を表示させる空調管理情報表示方法、および複数の空気調和装置を集中で管理する空調管理装置に関する。
背景技術
従来の一般的な管理装置の例として特開昭５４-５２３号公報（監視装置の表示制御方法）に記載されたものが知られている。以下に、この従来例について説明する。
第２０図に示すように、従来の管理装置は、電力系統におけるプロセス状態を表す全体画像１００から部分画像１０１を抽出し、この部分画像１０１をＣＲＴに表示させる装置である。この従来の管理装置はトラックボールを備えており、操作者がこのトラックボールを動かすことによって、第２１図に示すように、ＣＲＴに表示される画面を移動させることができる。
このような従来の管理装置は、ＣＲＴに表示される画面を移動させて目的の部分画像１０１を表示させるまでに、移動操作を何度も繰り返し実行する必要があり、操作性が悪く問題であった。また、ＣＲＴに表示される部分画像１０１が、全体画像１００の端を表示しているのか、或いは全体画像１００の中央を表示しているのか、操作者が判断するのは難しく、使い勝手が悪く問題であった。
本発明は、このような問題を解決し、少ない操作回数で目的の部分画像まで移動できる操作性の優れた空調管理情報表示方法および空調管理装置を提供することを目的とする。また、本発明は、ＣＲＴに表示される部分画像が全体画像のどの位置を表示しているのか容易に判断でき、誤動作を未然に防止できる信頼性に優れた空調管理情報表示方法および空調管理装置を提供することを目的とする。
発明の開示
本発明の空調管理情報表示方法は、複数の部屋を有するフロアのレイアウト画像から部分画像を抽出し、この部分画像に空気調和装置の動作状況データを付加してディスプレイに表示させる画像表示工程と、レイアウト画像から部分画像を抽出する位置を部屋単位でシフトさせる抽出位置移動工程とを備えることを特徴とする。
また、本発明に空調管理装置は、フロアの各部屋に配置された空気調和装置の動作状況データをディスプレイに表示させて、これらの空気調和装置を集中管理する装置において、フロアのレイアウト画像が記憶された画像記憶手段と、画像記憶手段に記憶されたレイアウト画像から部分画像を抽出し、この部分画像に動作状況データを付加してディスプレイに表示させる画像表示手段と、レイアウト画像から部分画像を抽出する位置を部屋単位でシフトさせる抽出位置移動手段とを備えることを特徴とする。
ここで、フロアを各部屋に分割する仕切り線データが記憶された仕切り線データ記憶手段を更に備え、抽出位置移動手段では、仕切り線データ記憶手段から読み出した仕切り線データに基づいて、レイアウト画像から部分画像を抽出する位置をシフトさせることが好ましい。
また、部分画像は、所望の部屋の全体と、この部屋の隣接する各部屋の一部とを含んだ画像であることが好ましい。
さらに、抽出位置移動手段によって部分画像を抽出する位置をシフトさせる際のシフト方向を特定させるシフトスイッチを更に備え、シフトスイッチは、シフトできない方向に対する入力を無効にすることが好ましい。
さらにまた、シフトスイッチは、タッチパネルに表示された各方向の矢印ボタンであり、シフトできる方向の矢印ボタンのみを表示させていることが好ましい。
さらにまた、画像記憶手段には、複数のフロアについてのレイアウト画像が記憶されており、画像表示手段では、これらのフロアの中から指定されたフロアについての部分画像をディスプレイに表示させることが好ましい。
【図面の簡単な説明】
第１図は、実施の形態１に係る空調管理装置を示すブロック図、第２図は、レイアウト画像の構成を示す図、
第３図は、実施の形態１に係る空調管理装置の動作を示すフローチャート、
第４図は、画像表示手段によってアイコンが合成された部分画像を示す図、
第５図は、動作状況に合わせて用意された３種類のアイコンを示す図、
第６図は、画像表示手段によってアイコンが合成された部分画像を示す図、
第７図は、レイアウト画像の各ブロックより一回り大きな部分画像をディスプレイに表示させる例を示す図、
第８図は、レイアウト画像の各ブロックより一回り大きな部分画像をディスプレイに表示させる例を示す図、
第９図は、レイアウト画像の各ブロックより一回り大きな部分画像をディスプレイに表示させる例を示す図、
第１０図は、実施の形態１に係る空調管理装置のハードウェア構成を示すブロック図、
第１１図は、実施の形態２に係る空調管理装置を示すブロック図、
第１２図は、実施の形態２に係る空調管理装置の動作を示すフローチャート、
第１３図は、実施の形態３に係る空調管理装置を示すブロック図、
第１４図は、ディスプレイに表示されるシフトスイッチの例を示す図、
第１５図は、ディスプレイに表示されるシフトスイッチの例を示す図、
第１６図は、実施の形態４に係る空調管理装置を示すブロック図、
第１７図は、ビルの各フロアとレイアウト画像との関係を示す図、
第１８図は、レイアウト画像と部分画像との関係を示す図、
第１９図は、レイアウト画像と部分画像との関係を示す図、
第２０図は、従来の管理装置で用いられる電力系統のプロセス状態についての全体画像を示す図、
第２１図は、従来の管理装置がＣＲＴに表示する部分画像を示す図である。
発明を実施するための最良の形態
以下、本発明の実施の形態について添付図面を参照しつつ説明する。
実施の形態１．
第１図は、実施の形態１に係る空調管理装置１を示すブロック図である。第１図に示すように、空調管理装置１は、フロアのレイアウト画像２およびこのレイアウト画像２にアクセスするためのポインタＡが記憶された画像記憶手段３と、動作状況データ５を含んだ画像を表示するディスプレイ６と、画像記憶手段３に記憶されたレイアウト画像２から部分画像７を抽出して、この部分画像７に動作状況データ５を付加してディスプレイ６に表示させる画像表示手段８とを備えている。
また、空調管理装置１は、ディスプレイ６の表示画面を移動させるための移動情報の入力および空気調和装置４を制御するための制御情報の入力を受け付ける入力手段９と、入力手段９で受け付けた移動情報に基づいて、レイアウト画像２から部分画像７を抽出する位置を部屋単位でシフトさせる抽出位置移動手段１０と、入力手段９で受け付けた制御情報に基づいて、空気調和装置４を制御する空調制御手段１１とを備えている。
第２図に示すように、レイアウト画像２は、横６４０ドット、縦４８０ドットの長方形のグラフィックデータであり、横軸方向に０〜６３９、縦軸方向に０〜４７９のアドレスを有している。レイアウト画像２には、横方向に延びる１本の仕切り線１２と、縦方向に延びる２本の仕切り線１３，１４とが設けられている。そして、これらの仕切り線１２〜１４で分割された６つのブロックは、フロア内の各部屋にそれぞれ対応している。これらのブロックは、各部屋の大きさに合わせてサイズを変えてもよく、またこの例のように、各ブロックを同一サイズに合わせてもよい。さらに各ブロックの上段には、会議室１〜３、応接室、重役室、社長室といった部屋の名称が書き込まれている。
次に、空調管理装置１の動作を第３図のフローチャートに基づいて説明する。空調管理装置１は、フロアの各部屋に配置された複数の空気調和装置４を集中管理するための装置で、これらの空気調和装置４の動作状況をディスプレイ６に表示させることができる。まず、レイアウト画像２にアクセスするためのポインタＡに、初期値アドレス（０，０）を設定する（ステップ１００）。
次に、各空気調和装置４から送られた複数の動作状況データ５を画像表示手段８に与える（ステップ１０１）。さらに、レイアウト画像２の一部分の画像である部分画像７を、画像記憶手段３から抽出して画像表示手段８に与える（ステップ１０２）。ここでは、ポインタＡが示すアドレス（０，０）を始点にして、横軸方向が０〜２１３ドットで、縦軸方向が０〜２４０ドットの領域を部分画像７として抽出している。この部分画像７は、レイアウト画像２を仕切り線１２〜１４で分割した１ブロック分に相当し、また、この部分画像７のサイズは、ディスプレイ６の表示サイドと等しい。そのため、ディスプレイ６には一部屋分の画像が表示される。
ステップ１０１，１０２の処理によって、第４図に示すように、画像表示手段８には動作状況データ５と部分画像７とが入力される。画像表示手段８では、部分画像７に対応した会議室１における空気調和装置４の動作状況データ５を調べて、この動作状況に合ったアイコンを部分画像７の下段に書き込む（ステップ１０３）。動作状況データ５は、各空気調和装置４の動作状況を数字で表したデータであり、「０」が停止中、「１」が動作中、「２」が故障中をそれぞれ示している。
第５図に示すように、これらの動作状況に合わせて複数種類のアイコンが用意されており、動作状況データ５に対応したアイコンが選択される。なお、部分画像７の下段に書き込むデータはアイコンでなくてもよく、例えば「エアコン動作中」「エアコン停止中」「エアコン故障中」といった文字データであってもよい。
その後、アイコンが書き込まれた部分画像７はディスプレイ６に表示され（ステップ１０４）、操作者は会議室１に設置された空気調和装置４の動作状況を把握することができる。即ち、第４図に示したディスプレイ６の表示より、操作者は会議室１の空気調和装置４が停止中であることが判る。
そして、ディスプレイ６の表示を見た操作者が、空気調和装置４を起動させるための制御情報を入力手段９に入力した場合、この制御情報は空調制御手段１１に与えられる。この制御情報は空気調和装置４に伝送され、制御情報に基づいて空気調和装置４が動作を開始する。また、操作者は、空気調和装置４の設定温度を変更させるための制御情報を入力手段９に入力することもできる。この制御情報も空調制御手段１１を介して空気調和装置４に伝送され、制御情報に基づいて空気調和装置４の設定温度が変更される（ステップ１０５）。
次に、別の部屋の空気調和装置４の動作状況をディスプレイ６に表示させるために、操作者が移動情報を入力手段９に入力した場合、この移動情報は抽出位置移動手段１０に与えられる。そして、抽出位置移動手段１０では、この移動情報に基づいて画像記憶手段３のポインタＡを更新する（ステップ１０６）。即ち、抽出位置移動手段１０は、画像記憶手段３に記憶されたレイアウト画像２にアクセスして、現在のポインタ位置から移動方向に向けてレイアウト画像２を走査する。そして、この走査によって検出した仕切り線の位置が新たなポインタ位置となる。
具体的には、移動情報が画像を右方向にシフトさせる指示である場合、第２図に示すレイアウト画像２をアドレス（０，０）の位置から右方向に走査して、２１３ドット目に仕切り線１３を検出する。その結果、新たなポインタＡのアドレスは（２１３，０）らなる。その後、ステップ１０１に処理を戻し、動作状況データ５を画像表示手段８に与える。上述したように、会議室１の空気調和装置４は既に起動されているので、第６図に示す動作状況データ５は、会議室１の動作状況が「１」に変更されている。
次に、ステップ１０２の処理を実行し、画像記憶手段３から部分画像７を抽出して、この部分画像７を画像表示手段８に与える。ここでのポインタＡのアドレスは（２１３，０）であるので、横軸方向が２１３〜４２６ドットで、縦軸方向が０〜２４０ドットの領域を部分画像７として抽出する。そして、ステップ１０３，１０４の処理を実行し、部分画像７にアイコンを書き込んでディスプレイ６に表示させる。この表示により操作者は、会議室２に設置された空気調和装置４が現在動作中であることが判る。その後、操作者が制御情報あるいは移動情報を入力することより、ステップ１０５，１０６の処理が実行され、空気調和装置４の制御等が行われる。
以上のように、部分画像７の抽出位置を部屋単位でシフトさせることにより、部屋の大きさとに関わらず、隣の部屋まで一回の操作で移動することができる。このように、少ない操作回数で目的とする空気調和装置４の部分画像７まで簡単に移動できるので、各部屋の空気調和装置４の動作状況を漏れなく且つ迅速に把握することができる。また、小さな表示画面のディスプレイ６を用いることにより、製品コストを低減させることができる。
なお、ステップ１０１〜ステップ１０４の処理が、部分画像７に動作状況データ５を付加してディスプレイ６に表示させる画像表示工程に対応する。また、ステップ１０６の処理が、部分画像７の抽出位置を部屋単位でシフトさせる抽出位置移動工程に対応する。
次に、ディスプレイ６に所望の部屋全体と、この部屋に隣接する各部屋の一部とからなる画像を表示させる例について説明する。この例では、ディスプレイ６の表示サイズより一回り大きな表示サイドのディスプレイ１５が用いられており、それ以外の構成は第１図の装置構成と同一である。第７図に示すように、初期状態では会議室１を中心にした画像がディスプレイ１５に表示される。この表示画像は、会議室１の全体と、会議室２及び応接室の一部とからなる画像である。このように、会議室２及び応接室の一部がディスプレイ１５に表示されるので、この表示を見た操作者は、右方向及び下方向に移動可能であることが判る。
操作者によって右方向への移動情報が入力手段９に入力された場合、レイアウト画像２から部分画像７を抽出する位置を一部屋分だけ右にシフトして、第８図に示すように、会議室２を中心にした画像をディスプレイ１５に表示させる。この表示画像は、会議室２の全体と、会議室１，３及び重役室の一部とからなる画像である。このように、会議室１，３及び重役室の一部がディスプレイ１５に表示されるので、この表示を見た操作者は、右方向、左方向及び下方向にディスプレイ１５の表示を移動できることが判る。
さらに、操作者によって下方向への移動情報が入力手段９に入力された場合、レイアウト画像２から部分画像７を抽出する位置を一部屋分だけ下にシフトして、第９図に示すように、重役室を中心にした画像をディスプレイ１５に表示させる。この表示画像は、重役室の全体と、会議室２、応接室及び社長室の一部とからなる画像である。このように、会議室２、応接室及び社長室の一部がディスプレイ１５に表示されるので、この表示を見た操作者は、右方向、左方向及び上方向にディスプレイ１５の表示を移動できることが判る。
以上のように、レイアウト画像２の各ブロックのサイズに比べて、一回り大きな表示サイドのディスプレイ１５を用いることにより、ディスプレイ１５の表示を移動可能な方向を一目見ただけで把握することができる。
次に、空調管理装置１のハードウェア構成について説明する。第１０図に示すように、空調管理装置１は、ＣＰＵ２０及びＲＯＭ２１，２２が配設されたメイン基板２３と、空気調和装置４の動作状況データを受け付ける入出力ポート２４と、動作状況データ等を表示する液晶ディスプレイ２５と、液晶ディスプレイ２５の上に重ねて貼付されたタッチパネル２６とを備えている。
ここで、ＲＯＭ２１は画像記憶手段３に対応し、レイアウト画像２などの各種データが記憶されている。また、ＲＯＭ２２には、画像表示手段８、空調制御手段１１及び抽出位置移動手段１０の処理プログラムが記憶されている。そして、これらの処理プログラムはＣＰＵ２０の制御の下で実行される。さらに、液晶ディスプレイ２５がディスプレイ６に、タッチパネル２６が入力手段９にそれぞれ対応している。
液晶ディスプレイ２５には、部分画像７を表示させるエリア２５ａと、操作者に移動情報を入力させるためのシフトスイッチを表示させるエリア２５ｂと、各部屋の温度を表示させるエリア２５ｃと、各空気調和装置４の制御情報を入力させるための制御スイッチを表示させるエリア２５ｄとが設けられている。シフトスイッチには、各方向に対応した４個の矢印ボタンが用いられている。また、制御スイッチには、空気調和装置４の設定温度を変更するためのＵＰ／ＤＯＷＮボタンと、空気調和装置４をオン・オフ制御するためのＯＮ／ＯＦＦボタンとが用いられている。
そして、エリア２５ｂに表示された矢印ボタン、又はエリア２５ｄに表示されたＵＰ／ＤＯＷＮボタン等を操作者が上から押圧することにより、タッチパネル２６から移動情報または制御情報が入力される。これらの情報はＣＰＵ２０に与えられ、上述したステップ１０１〜ステップ１０６の処理が実行される。
なお、タッチパネル２６の代わりに、ジョイスティック、押しボタンスイッチ、トラックボールなどの各種スイッチを用いてもよい。また、単一の押しボタンスイッチを複数回押してシフト方向をシーケンシャルに変化させてもよい。
実施の形態２．
次に、実施の形態２に係る空調管理装置を説明する。第１１図は、実施の形態２に係る空調管理装置３０を示すブロック図である。この実施の形態２が第１図に示す実施の形態１と異なるのは、仕切り線データ記憶手段３１を備えている点だけである。その他の構成については実施の形態１と同一又は同等である。なお、実施の形態１と同一又は同等な構成部分については同一符号を付し、その説明は省略する。
第１１図に示すように、空調管理装置３０は、フロアを各部屋に分割する複数の仕切り線データ３２が記憶された仕切り線データ記憶手段３１を備えている。仕切り線データ３２は、レイアウト画像２を複数のブロックに仕切る線分データであり、レイアウト画像２上の座標データとして記憶されている。例えば、第２図に示す仕切り線１２の仕切り線データ３２ａは（０〜６３９，２４０）であり、仕切り線１３の仕切り線データ３２ｂは（２１３，０〜４７９）である。さらに、仕切り線１４の仕切り線データ３２ｃは（４２６，０〜４７９）である。
次に、空調管理装置３０の動作を第１２図のフローチャートに基づいて説明する。まず、画像記憶手段３にアクセスするためのポインタＡに、初期値アドレス（０，０）を設定する（ステップ１１０）。そして、各空気調和装置４から送られた複数の動作状況データ５を画像表示手段８に与える（ステップ１１１）。さらに、レイアウト画像２の一部分の画像である部分画像７を、画像記憶手段３から押出して画像表示手段８に与える（ステップ１１２）。
その結果、第４図に示すように、画像表示手段８には動作状況データ５と部分画像７とが入力される。画像表示手段８では、部分画像７に対応した会議室１における空気調和装置４の動作状況５を調べて、この動作状況に合ったアイコンを部分画像７の下段に書き込む（ステップ１１３）。動作状況データ５は、各空気調和装置４の動作状況を数字で表したデータであり、「０」が停止中、「１」が動作中、「２」が故障中をそれぞれ示している。そして、第５図に示すように、これらの動作状況に合わせて用意された３種類のアイコンの中から、動作状況データ５に対応したアイコンを選択する。
その後、アイコンが書き込まれた部分画像７はディスプレイ６に表示され（ステップ１１４）、操作者は会議室１に設置された空気調和装置４の動作状況を把握することができる。即ち、第４図に示したディスプレイ６の表示より、操作者は会議室１の空気調和装置４が停止中であることが判る。そして、ディスプレイ６の表示を見た操作者が、空気調和装置４を起動させるための制御情報を入力手段９に入力した場合、この制御情報は空調制御手段１１に与えられる。この制御情報は空気調和装置４に伝送され、制御情報に基づいて空気調和装置４が動作を開始する。また、操作者は、空気調和装置４の設定温度を変更させるための制御情報を入力手段９に入力することもできる。この制御情報も空調制御手段１１を介して空気調和装置４に伝送され、制御情報に基づいて空気調和装置４の設定温度が変更される（ステップ１１５）。
次に、別の部屋の空気調和装置４の動作状況をディスプレイ６に表示させるために、操作者が移動情報を入力手段９に入力した場合、この移動情報は抽出位置移動手段１０に与えられる。抽出位置移動手段１０では、この移動情報から移動方向を検出して、現在のポインタ位置に対して移動方向の距離が最も短い仕切り線データ３２を、仕切り線データ記憶手段３１から抽出する（ステップ１１６）。そして、現在のポインタ位置から移動方向に進行させた線分と仕切り線データ３２が示す仕切り線との交点を、新たなポインタ位置とする（ステップ１１７）。
具体的には、移動情報がディスプレイ６の表示画面を右方向にシフトさせる指示である場合、現在のポインタＡのアドレスを第２図の（０，０）とすると、仕切り線データ記憶手段３１に記憶された３つの仕切り線データ３２ａ〜３２ｃの中から、ポインタＡ（０，０）に対する右方向の距離が最も短い仕切り線データ３２を選択する。そして、この選択によって仕切り線データ３２ｂ（２１３，０〜４７９）が抽出される。さらに、ポインタＡ（０，０）から右方向に進行させた線分１５と仕切り線データ３２ｂが示す仕切り線１３との交点（２１３，０）を検出し、この交点を新たなポインタ位置とする。その結果、新たなポインタＡのアドレスは（２１３，０）になる。その後、ステップ１０１に処理を戻し、動作状況データ５を画像表示手段８に与える。
次に、ステップ１０２の処理を実行し、画像記憶手段３から部分画像７を抽出して、この部分画像７を画像表示手段８に与える。ここでのポインタＡのアドレスは（２１３，０）であるので、横軸方向が２１３〜４２６ドットで、縦軸方向が０〜２４０ドットの領域を部分画像７として抽出する。そして、ステップ１０３，１０４の処理を実行し、部分画像７にアイコンを書き込んでディスプレイ６に表示させる。この表示により操作者は、会議室２に設置された空気調和装置４が現在動作中であることが判る。その後、操作者が制御情報あるいは移動情報を入力することにより、ステップ１０５，１０６の処理が実行され、空気調和装置４の制御等が行われる。
以上のように、部分画像７の抽出位置を部屋単位でシフトさせることにより、少ない操作回数で目的の部分画像７まで簡単に移動することができ、各部屋の空気調和装置４の動作状況を漏れなく且つ迅速に把握することができる。また、レイアウト画像２とは別に設けられた仕切り線データ３２に基づいて新たなポインタＡのアドレスを抽出しているので、アドレス更新の処理速度が向上する。
なお、ステップ１１１〜ステップ１１４の処理が、部分画像７に動作状況データ５を付加してディスプレイ６に表示させる画像表示工程に対応する。また、ステップ１１６，１１７の処理が、部分画像７を部屋単位でシフトさせる抽出位置移動工程に対応する。
さらに、ディスプレイ６の代わりに、表示サイズが一回り大きなディスプレイ１５を用いてもよい。この場合には、第７図〜第９図に示したように、所望の部屋全体とこの部屋に隣接する各部屋の一部とを含んだ画像をディスプレイ１５に表示され、画面移動が可能な方向を容易に把握することができる。
実施の形態３．
次に、実施の形態３に係る空調管理装置を説明する。第１３図は、実施の形態３に係る空調管理装置４０を示すブロック図である。この実施の形態３が第１図に示す実施の形態１と異なるのは、シフト方向演算４１を備えている点だけである。その他の構成については実施の形態１と同一又は同等である。なお、実施の形態１と同一又は同等な構成部分については同一符号を付し、その説明は省略する。
第１３図に示すように、空調管理装置４０は、画像記憶手段３に記憶されたポインタＡのアドレスを入力して、レイアウト画像２から部分画像７を抽出させる位置のシフト可能な方向を算出するシフト方向演算手段４１を備えている。そして、シフト方向演算手段４１で演算された結果は入力手段９に与えられ、入力手段９ではシフトできない方向の移動情報の入力を無効にするように制御が行われる。また、シフト可能な方向が例えば矢印等でディスプレイ６に表示されている場合には、シフト方向演算４１での演算結果がディスプレイ６にも与えられ、ディスプレイ６の表示内容が変更される。
例えば、第１４図に示すように、ディスプレイ６として液晶ディスプレイ２５が用いられ、入力手段９としてタッチパネル２６が用いられる場合、液晶ディスプレイ２５のエリア２５ｂには、４個の矢印ボタン（シフトスイッチ）のいずれかが表示される。ここで、液晶ディスプレイ２５のエリア２５ａに表示される部分画像７が、レイアウト画像２の左上端に位置する会議室１の画像である場合、ポインタＡにはアドレス（０，０）が設定される。
シフト方向演算手段４１は、このポインタＡのアドレスから部分画像７の各頂点のアドレスを計算し、（０，０）、（２１３，０）、（０，２４０）、（２１３，２４０）を得る。さらに、レイアウト画像２は横方向に６４０ビット、縦方向に４８０ビットの領域を有しており、部分画像７は（０，０）〜（６３９，４７９）の範囲で移動可能である。
シフト方向演算手段４１は、部分画像７の頂点（０，０）がレイアウト画像２の左上端にあたることより、レイアウト画像２から部分画像７を抽出する位置は左方向および上方向にはシフトできないと判断する。また、シフト方向演算手段４１は、部分画像７の頂点（２１３，２４０）がレイアウト画像２の中央部分にあたることより、レイアウト画像２から部分画像７を抽出する位置は右方向および下方向にシフト可能であると判断する。
シフト方向演算手段４１では、このようにして得られたシフト可能方向を、液晶ディスプレイ２５及びタッチパネル２６に与えて、液晶ディスプレイ２５のエリア２５ｂにおける右方向と上方向の矢印ボタンの表示を消去させる。また、タッチパネル２６における右方向と上方向の矢印ボタンの位置への入力を無効にする。
次に、操作者によって右方向の移動情報が入力された場合、第１５図に示すように、右方向に一部屋分シフトした部分画像７をレイアウト画像２から抽出して、液晶ディスプレイ２５のエリア２５ａに表示する。この際、ポインタＡには（２１３，０）が設定されるものとする。このポインタＡのアドレスはシフト方向演算手段４１に与えられ、シフト方向演算手段４１では、上述したようなアドレスの比較演算を行ってシフト可能方向を算出する。
即ち、シフト方向演算手段４１は、ポインタＡのアドレスから部分画像７の各頂点のアドレスを計算し、（２１３，０）、（４２６，０）、（２１３，２４０）、（４２６，２４０）を得る。シフト方向演算手段４１は、部分画像７の頂点（２１３，０）、（４２６，０）がレイアウト画像２の上端にあたることにより、レイアウト画像２から部分画像７を抽出する位置は上方向にはシフトできないと判断する。また、シフト方向演算手段４１は、部分画像７の頂点（２１３，２４０）、（４２６，２４０）がレイアウト画像２の中央部分にあたることより、レイアウト画像２から部分画像７を抽出する位置は右方向、左方向および下方向にシフト可能であると判断する。
シフト方向演算手段４１では、このようにして得られたシフト可能方向を、液晶ディスプレイ２５及びタッチパネル２６に与えて、液晶ディスプレイ２５のエリア２５ｂにおける上方向の矢印ボタンの表示を消去させる。また、タッチパネル２６における上方向の矢印ボタンの位置への入力を無効にする。
以上のように、レイアウト画像２から部分画像７を抽出する位置をシフトできない方向の矢印ボタンの表示が消去されるので、操作者はシフト可能な方向を視覚的に判断でき、誤操作の起こり難い信頼性の高い空調管理装置４０が得られる。
なお、タッチパネル２６の代わりに押しボタンスイッチなどを用いる場合にも、液晶ディスプレイ２５などのディスプレイに、シフト可能な方向を示す画像が表示させてもよい。例えば、上述したような矢印形状のマークでもよく、ディスプレイのシフト可能側の縁部に枠線（特に、赤や緑などのカラー表示が効果的）を表示させてもよい。
実施の形態４．
次に、実施の形態４に係る空調管理装置を説明する。第１６図は、実施の形態４に係る空調管理装置５０を示すブロック図である。この実施の形態４が第１図に示す実施の形態１と異なるのは、画像記憶手段３に複数フロアのレイアウト画像２が記憶されている点と、表示位置登録手段５１および表示位置記憶手段５２を備えている点と、入力手段９でフロアの選択入力を受け付けている点である。
このように、画像記憶手段３に複数フロアのレイアウト画像２が記憶されているので、ビルディングのように複数階のフロアに各々設置された空気調和装置４を、一台の空調管理装置５０で集中管理することができる。また、入力手段９でフロアの選択入力を受け付けることにより、所望のフロアのレイアウト画像２をディスプレイ６に表示させることができる。
なお、上述の構成以外の構成については実施の形態１と同一又は同等であるので、実施の形態１と同一又は同等な構成部分については同一符号を付し、その説明は省略する。
第１６図に示すように、空調管理装置５０は、レイアウト画像２から部分画像７を抽出する際の初期位置を登録する初期位置登録手段５１と、初期位置登録手段５１で登録された初期位置のアドレスをフロアごとに記憶する初期位置記憶手段５２とを備えている。初期位置登録手段５１に登録できる初期位置のデータとしては、「北／東北／西北／東／西／中央／東南／西南／南／前回の表示位置」などがあり、初期位置登録手段５１には、これらのデータを入力するための入力部（例えば押しボタンスイッチ）を有している。また、初期位置記憶手段５２には、初期位置のアドレスを記憶するアドレスデータ領域５２ａと、「前回の表示位置」の登録を示す前回位置フラグ５２ｂとがフロアごとに設けられている。
初期位置のデータが操作者によって入力されると、初期位置登録手段５１は入力データをアドレスデータに変換して、このアドレスデータが初期位置記憶手段５２のアドレスデータ領域５２ａに記憶される。アドレスデータは、レイアウト画像２のアドレスデータであり、例えば「北」はアドレス（２１３，０）に、「東北」はアドレス（４２６，０）に、「西北」はアドレス（０，０）に、「南」はアドレス（２１３，２４０）にそれぞれ変換される。そして、このように変換されたアドレスデータは、初期位置記憶手段５２のアドレスデータ領域５２ａに記憶される。
また、「前回の表示位置」が操作者によって入力されると、初期位置登録手段５１は初期位置記憶手段５２の前回位置フラグ５２ｂを立てる。前回位置フラグ５２ｂが立っている間は、抽出位置移動手段１０から入力されるアドレスデータを受け付けて、このアドレスデータで初期位置記憶手段５２のアドレスデータ領域５２ａを更新する。その結果、初期位置記憶手段５２のアドレスデータ領域５２ａには、前回の表示位置のアドレスが常に記憶されることになる。
第１７図に示すように、例えば地上１０階、地下２階のビルディングを空調管理装置５０で管理する場合、画像記憶手段３には１２個のレイアウト画像２が記憶されている。そして、ディスプレイ６に表示されるレイアウト画像２の選択は、入力手段９でフロアの階数を指定することによって行う。この指定によって所望のレイアウト画像２が選択されると、レイアウト画像２に対応するアドレスデータが初期位置記憶手段５２のアドレスデータ領域５２ａから読み出され、このアドレスデータが画像記憶手段２のポインタＡに設定される。
次に、画像記憶手段２にアクセスして、ポインタＡを始点とする部分画像７を所望のレイアウト画像２から抽出する。ここで、操作頻度の高い空気調和装置４が設置された部屋の位置についてのアドレスを、初期位置として初期位置記憶手段５２に予め登録しておけば、レイアウト画像２を切り替えた際に、操作頻度の高い空気調和装置４が設置された部屋を中心とした部分画像７をディスプレイ６に表示させることができる。また、初期位置記憶手段５２の前回位置フラグ５２ｂを予め立てておけば、レイアウト画像２を切り替えた際に、前回表示した部分画像７をディスプレイ６に表示させることができる。
具体的には、地下１階のレイアウト画像２に対して「北西」が入力されている場合、このレイアウト画像２に対応するアドレスデータ領域５２ａにはアドレス（０，０）が記憶されている。また、地下２階のレイアウト画像２に対して「東南」が入力されている場合、このレイアウト画像２に対応するアドレスデータ領域５２ａにはアドレス（４２６，２４０）が記憶されている。そして、地下１階のレイアウト画像２が選択されると、アドレス（０，０）がアドレスデータ領域５２ａから読み出され、このアドレスが画像記憶手段２のポインタＡに設定される。その結果、第１８図に示すように、アドレス（０，０）を始点とした「事務所１」の部分画像７が、地下１階のレイアウト画像２から抽出される。
次に、地下２階のレイアウト画像２が選択されると、アドレス（４２６，２４０）がアドレスデータ領域５２ａから読み出され、このアドレス画像記憶手段２のポインタＡに設定される。その結果、第１９図に示すように、アドレス（４２６，２４０）を始点とした「社長室」の部分画像７が、地下２階のレイアウト画像２から抽出される。
以上のように、レイアウト画像２を切り替えた際に、最初にディスプレイ６に表示される部分画像７を操作者の意図に合わせて登録することができるため、操作頻度の高い空気調和装置４が設置された部屋の部分画像７を、最初にディスプレイ６に表示させることができる。その結果、装置の操作性が向上し、短時間で複数フロアの空気調和装置４を操作することができる。
なお、本発明は上記実施形態に限定されることなく、本発明の趣旨から逸脱しない範囲内において、例えば以下のように変更することも可能である。
（１）上記実施の形態１〜４では、ポインタＡのアドレスを左上端とする部分画像７をレイアウト画像２から抽出していたが、左上端に限定されることなく、ポインタＡのアドレスを中心、右上端、左下端などの位置にして、部分画像７をレイアウト画像２から抽出してもよい。
（２）上記実施の形態１〜３では、ポインタＡの初期値として（０，０）を設定していたが、実施の形態４のように、初期位置記憶手段５２に記憶された初期値をポインタＡに設定してもよい。
（３）上記実施の形態１〜４では、横６４０ビット、縦４８０ビットのレイアウト画像２を６つのブロックに分割して各部屋に対応させていたが、これ以外のサイズのレイアウト画像２を用いてもよく、また、分割数も６に限定されず６以外であってもよい。
（４）上記実施の形態２と上記実施の形態３とを組み合わせて、仕切り線データ記憶手段３１とシフト方向演算手段４１とを共に備えてもよい。また、上記実施の形態２と上記実施の形態４とを組み合わせて、仕切り線データ記憶手段３１と初期位置登録手段５１と初期位置記憶手段５２とを共に備えてもよい。
さらに、上記実施の形態３と上記実施の形態４とを組み合わせて、シフト方向演算手段４１と初期位置登録手段５１と初期位置記憶手段５２とを共に備えてもよい。さらにまた、上記実施の形態２〜４を組み合わせて、データ記憶手段３１、シフト方向演算手段４１、初期位置登録手段５１および初期位置記憶手段５２を共に備えてもよい。
産業上の利用可能性
以上のように、本発明にかかる空調管理情報表示方法および空調管理装置は、複数の部屋にそれぞれ配置された空気調和装置の動作状況を少ない操作で効率的に表示させることができるので、多数の空気調和装置を一括して管理するのに適している。
【図１】
0003688721.tif 000002
【図２】
0003688721.tif 000003
【図３】
0003688721.tif 000004
【図４】
0003688721.tif 000005
【図５】
0003688721.tif 000006
【図６】
0003688721.tif 000007
【図７】
0003688721.tif 000008
【図８】
0003688721.tif 000009
【図９】
0003688721.tif 000010
【図１０】
0003688721.tif 000011
【図１１】
0003688721.tif 000012
【図１２】
0003688721.tif 000013
【図１３】
0003688721.tif 000014
【図１４】
0003688721.tif 000015
【図１５】
0003688721.tif 000016
【図１６】
0003688721.tif 000017
【図１７】
0003688721.tif 000018
【図１８】
0003688721.tif 000019
【図１９】
0003688721.tif 000020
【図２０】
0003688721.tif 000021
【図２１】
0003688721.tif 000022